(57)【特許請求の範囲】
【請求項１】
８の字状に配置された複数の光透過性の装飾体と、前記複数の装飾体に光を照射する光源とを有し、遊技結果を表示する遊技機用７セグメント表示装置であって、
前記複数の装飾体は、回動可能な状態で互いに連結された第１可動装飾体及び第２可動装飾体、前記第１可動装飾体と回動可能な状態で連結された第３可動装飾体、並びに前記第２可動装飾体及び前記第３可動装飾体と回動可能な状態で連結された第４可動装飾体を含み、
前記第１可動装飾体、前記第２可動装飾体、前記第３可動装飾体、及び前記第４可動装飾体は、それぞれ回動により形状が変化する四角形の各辺を構成するように配置され、
前記遊技機用７セグメント表示装置は、前記第１可動装飾体を動かす駆動装置を有する
ことを特徴とする遊技機用７セグメント表示装置。
【請求項２】
前記第２可動装飾体及び前記第３可動装飾体は、それぞれ垂直方向に伸びる棒状の縦可動装飾体であり、
前記第１可動装飾体及び前記第４可動装飾体は、それぞれ水平方向に伸びる横可動装飾体であり、
前記複数の装飾体は、水平方向に前記縦可動装飾体と並んで位置し、かつ、垂直方向に前記横可動装飾体と並んで位置する固定装飾体を含み、
前記縦可動装飾体は、垂直方向の長さの中心に回動軸を有し、
前記光源は、前記第１可動装飾体、前記第２可動装飾体、前記第３可動装飾体、前記第４可動装飾体、及び前記固定装飾体のそれぞれに対応して別々に設けられ、対応する装飾体に光を供給する複数の光源から構成される
ことを特徴とする請求項１に記載の遊技機用７セグメント表示装置。
【発明の詳細な説明】
【技術分野】
【０００１】
本発明は、遊戯機用７セグメント表示装置に関し、特に大当りなどの遊技結果を決定してその遊技結果を演出により表示する遊技機用７セグメント表示装置に関する。
【背景技術】
【０００２】
従来より、大当り等の遊技結果を決定して、決定された遊技結果の表示を行なう遊技機が提案されている（例えば、特許文献１参照）。
【０００３】
上記特許文献１の遊技機は、８の字状に配置された７つのセグメントから構成される７セグメント方式の可変表示装置（遊技機用７セグメント表示装置）を備えている。この遊技機用７セグメント表示装置は、遊技結果が大当りであれば、例えば「７」という数字の図柄を表示することにより、その遊技結果を正確に表示する。さらに、この遊技機用７セグメント表示装置は、各セグメントに対応してレンズ部が形成されたカバー体を備え、遊技者に与える視覚的効果を高めるためにこのカバー体を振動させる。
【特許文献１】特開２０００−１４８７９号公報
【発明の開示】
【発明が解決しようとする課題】
【０００４】
ところで、上記特許文献１の遊技機用７セグメント表示装置では、各セグメントに対応して設けられた複数のレンズ部の全てが１つのカバー体に形成され、このカバー体が振動する構成のため、視覚的には数字の図柄がその形状を保ったまま移動されるものとして現れる。従って、この遊技機用７セグメント表示装置では、数字の図柄について動的変化が乏しく、遊技者の遊技に対する興趣を十分に向上させることができない。
【０００５】
そこで、本発明は、かかる問題に鑑みてなされたものであって、遊技者の遊技に対する興趣を向上させることが可能な遊技機用７セグメント表示装置を提供することを目的とする。
【課題を解決するための手段】
【０００６】
上記目的を達成するために、本発明の遊技機用７セグメント表示装置は、８の字状に配置された複数の光透過性の装飾体と、前記複数の装飾体に光を照射する光源とを有し、遊技結果を表示する遊技機用７セグメント表示装置であって、前記複数の装飾体は、回動可能な状態で互いに連結された第１可動装飾体及び第２可動装飾体、前記第１可動装飾体と回動可能な状態で連結された第３可動装飾体、並びに前記第２可動装飾体及び前記第３可動装飾体と回動可能な状態で連結された第４可動装飾体を含み、前記第１可動装飾体、前記第２可動装飾体、前記第３可動装飾体、及び前記第４可動装飾体は、それぞれ回動により形状が変化する四角形の各辺を構成するように配置され、前記遊技機用７セグメント表示装置は、前記第１可動装飾体を動かす駆動装置を有することを特徴とする。
【０００７】
これによって、２つの可動装飾体が回動可能な状態で連結されるため、駆動手段により１つの可動装飾体が動かされるのに伴い、回動により２つの可動装飾体の位置関係が変わる。従って、可動装飾体により構成されるセグメントのレイアウトが変形し、数字などの図柄の形状が変化するので、遊技者の遊技に対する興趣を十分に向上させることができる。
【０００８】
ここで、前記第２可動装飾体及び前記第３可動装飾体は、それぞれ垂直方向に伸びる棒状の縦可動装飾体であり、前記第１可動装飾体及び前記第４可動装飾体は、それぞれ水平方向に伸びる横可動装飾体であり、前記複数の装飾体は、水平方向に前記縦可動装飾体と並んで位置し、かつ、垂直方向に前記横可動装飾体と並んで位置する固定装飾体を含み、前記縦可動装飾体は、垂直方向の長さの中心に回動軸を有し、前記光源は、前記第１可動装飾体、前記第２可動装飾体、前記第３可動装飾体、前記第４可動装飾体、及び前記固定装飾体のそれぞれに対応して別々に設けられ、対応する装飾体に光を供給する複数の光源から構成されてもよい。
【０００９】
これによって、セグメントのレイアウトが変形するとき、縦可動装飾体はその垂直方向の長さの中心を回動軸として回動するため、この回動による横可動装飾体の移動範囲が最小となる。従って、セグメントのレイアウトが変形したときでも、光源の光学系の構成を変更することなく縦可動装飾体および横可動装飾体に対して光を供給することができる。
【００１０】
また、前記駆動手段は、前記第１可動装飾体と連結されたプランジャを有するソレノイドであってもよい。
【００１１】
これによって、簡易な構成でセグメントのレイアウトを変形させることができるので、安価な遊技機を実現できる。
【発明の効果】
【００１２】
本発明の遊技機用７セグメント表示装置は、遊技者の遊技に対する興趣を向上させることができるという作用効果を奏する。
【発明を実施するための最良の形態】
【００１３】
以下、本発明の実施の形態における遊技機について図面を参照しながら説明する。
【００１４】
図１は、本発明の実施の形態における遊技機の斜視図である。
【００１５】
本実施の形態における遊技機１０は、図１（ａ）に示されるように、パチンコ機として構成されており、外枠１１、前枠１２、窓枠１３、および窓枠１３に覆われた遊技盤を備えている。
【００１６】
また、遊技機１０の背面には、図１（ｂ）に示されるように、液晶ディスプレイなどの表示制御を行なう表示サブ基盤２１、各種遊技音の出力制御を行なう音サブ基盤２２、入賞時における遊技機１０の動作等を含む遊技機１０の主要な動作を制御する主基盤（主制御装置）２３、パチンコ球（遊技球）の払い出し動作を制御する払出基盤２４、各基盤等に電源を供給する電源基盤２５等の各種基盤が例えば透明ケースに収納された状態で取り付けられている。
【００１７】
外枠１１は、パチンコホールの台島に設置されており、図１に示すように、前後面が開口するように四角筒状に形成されている。前枠１２は、ヒンジにより外枠１１の前端面に左側辺部の垂直な軸を中心に回動可能に装着されている。この前枠１２の前面下部には、上面が開口する下皿１４と、上面が開口する上皿１５とが固定されている。上皿１５は払い出された賞球(遊技球)が保持されるとともに、遊技球を遊技領域に打ち出すための打球鎚に遊技球を供給するための部位である。下皿１４は、上皿１５が賞球でいっぱいになった場合に溢れた賞球を保持しておく部位である。
【００１８】
下皿１４の右端周辺にはハンドル台１６が固定されており、ハンドル台１６には発射ハンドル１９が回動自在に装着されている。この発射ハンドル１９の後方には発射モータが固定されており、発射モータの回転軸には打球槌が連結されている。この発射モータは打球槌の駆動源に相当するものであり、発射ハンドル１９が回動操作されたときには発射モータに駆動電源が与えられ、打球槌が駆動することに基づいて上皿１５から供給される遊技球を遊技領域に弾き出すものとなっている。
【００１９】
窓枠１３は、前枠１２の前面に装着されている。この窓枠１３は円形孔状の窓部１７を有し、窓部１７の内周面には透明なガラス窓１７ａが固定されている。この窓枠１３の左上隅部および右上隅部の裏面には、遊技音を出力するスピーカ１８が固定されている。また、窓枠１３には複数の装飾ＬＥＤが固定されている。
【００２０】
次に、窓枠１３の奥にガラス窓１７ａを介して視認可能に取り付けられる遊技盤について説明する。
【００２１】
図２は、遊技盤の正面図である。
【００２２】
遊技盤３０は、上述のように前枠１２の後面に装着されており、窓枠１３のガラス窓１７ａに前方から覆われている。
【００２３】
この遊技盤３０は、遊技板３１、レールセット３２、始動口３３、大入賞口３４、扉３４ａ、一般入賞口３５、可変表示器（表示装置）３７、および保留ランプ３８を備えている。
【００２４】
遊技板３１は、遊技盤３０の有する各構成部材を固定するための板である。
【００２５】
レールセット３２は、この遊技板３１の前面に固定されて、この遊技板３１上に、パチンコ球の発射通路３１ａと遊技領域３１ｂとを形成する。遊技領域３１ｂには複数の障害釘３９が打ち込まれている。
【００２６】
上述の打球槌が弾いたパチンコ球は、発射通路３１ａを通して遊技領域３１ｂ内に放出される。そして、遊技領域３１ｂ内に放出されたパチンコ球は障害釘３９に当りながら遊技領域３１ｂ内を落下する。
【００２７】
始動口３３は、遊技領域３１ｂ内に固定され、上面が開口するポケット状に形成されている。また、この始動口３３内には、センサである始動口スイッチが固定されており、始動口スイッチは、始動口３３内にパチンコ球が入賞したことを検出する。さらに、この始動口３３には、一対の片３３ａが回動自在に取り付けられている。この一対の片３３ａは、始動口ソレノイドのプランジャに機械的に連結されており、そのプランジャの動作に応じて、互いの先端側が離れたり近づいたりするように回動する。つまり、この一対の片３３ａは始動口３３を開閉し、開いたときには、パチンコ球は始動口３３に入賞し易くなり、閉じたときには、パチンコ球は始動口３３に入賞し難くなる。
【００２８】
一般入賞口３５は、始動口３３と同様、上面が開口するポケット状に形成されている。そして、この一般入賞口３５内には、センサである一般入賞口スイッチが固定されており、一般入賞口スイッチは、一般入賞口３５内にパチンコ球が入賞したことを検知する。
【００２９】
大入賞口３４は、遊技領域３１ｂ内に前面が開口するように形成されている。そして、扉３４ａは、この大入賞口３４を開閉するように装着されている。この扉３４ａは、大入賞口ソレノイドのプランジャに機械的に連結されており、そのプランジャの動作に応じて、大入賞口３４を開閉する。また、この大入賞口３４内には、センサである大入賞口スイッチが固定されており、大入賞口スイッチは、パチンコ球が大入賞口３４内に入賞したことを検出する。
【００３０】
保留ランプ３８は、遊技領域３１ｂ内に４つ固定されている。これらの４つの保留ランプ３８は、点灯個数に応じて、始動口３３に入賞したパチンコ球の判定処理の待ち状況を通知する。
【００３１】
可変表示器（遊技機用７セグメント表示装置）３７は、８の字状に配置された７つのセグメントから構成される７セグメント方式の２つの表示器から構成され、遊技結果の表示の演出を行なうとともに、２つの数字を変動・停止して表示することにより、遊技結果を演出として遊技者に報知する。
【００３２】
次に、可変表示器３７について説明する。
【００３３】
図３は可変表示器３７の分解斜視図であり、図４は可変表示器３７の斜視図である。なお、図３および４は、可変表示器３７を構成し、同様の構造を有する２つの表示器のうちの１つについてのみ示している。
【００３４】
可変表示器３７は、８の字状に配置された光透過性の５つの装飾体（レンズ）と、装飾体に光を照射する光源とを備える表示器である。この可変表示器３７は、ＬＥＤ基板４１、固定レンズ４２、２つの縦可動レンズ４３、２つの横可動レンズ４５、および駆動装置４９を備えている。２つの縦可動レンズ４３及び２つの横可動レンズ４５は、回動可能な状態で連結され、それぞれ回動により形状が変化する四角形の各辺を構成するように配置される。
【００３５】
ＬＥＤ基板４１は、フルカラーのＬＥＤ４１ａが複数設けられた基板である。複数のＬＥＤ４１ａは、固定レンズ４２、２つの縦可動レンズ４３、および２つの横可動レンズ４５のそれぞれに対応して別々に後方に配置され、これらレンズに対して光を照射する光源である。
【００３６】
固定レンズ４２は、本発明の固定装飾体の一例である。固定レンズ４２は、半透明の乳白色の樹脂又はガラスなどで構成された光透過性の板状の装飾体であり、ＬＥＤ基板４１前方に設けられている。固定レンズ４２の前面には、前方に向かって突出した多角柱状の凸部４２ａが形成されている。この凸部４２ａは６つのセグメントに囲まれて配置された中央のセグメントを構成する。固定レンズ４２の前面では、凸部４２ａ以外の部分がＬＥＤ４１ａからの光で発光しないように不透明色である黒などの塗装が施されている。ただし、縦可動レンズ４３および横可動レンズ４５にＬＥＤ４１ａからの光が供給されるように、固定レンズ４２の前面における縦可動レンズ４３および横可動レンズ４５の後方に位置する部分には、不透明色の塗装はされていない。ＬＥＤ基板４１では、凸部４２ａの後方に２つのＬＥＤ４１ａが水平方向（図３のｂ方向）に並んで位置するようにＬＥＤ４１ａが配置されている。
【００３７】
縦可動レンズ４３は、本発明の縦可動装飾体の一例であり、固定レンズ４２の凸部４２ａと水平方向に並んで位置する。縦可動レンズ４３は、半透明の乳白色の樹脂又はガラスなどで構成された垂直方向（図３のａ方向）に伸びる光透過性の棒状の装飾体であり、固定レンズ４２前方に設けられている。縦可動レンズ４３の前面には、前方に向かって突出した多角柱状の第１凸部４３ａおよび第２凸部４３ｂが垂直方向に並んで形成されている。この第１凸部４３ａおよび第２凸部４３ｂは垂直方向に並んで配置された２つのセグメントを構成する。縦可動レンズ４３の前面では、第１凸部４３ａおよび第２凸部４３ｂ以外の部分がＬＥＤ４１ａからの光で発光しないように不透明色である黒などの塗装が施されている。ＬＥＤ基板４１では、第１凸部４３ａの後方に２つのＬＥＤ４１ａが水平方向に並んで位置し、かつ第２凸部４３ｂの後方に２つのＬＥＤ４１ａが水平方向に並んで位置するようにＬＥＤ４１ａが配置されている。
【００３８】
固定レンズ４２前面の水平方向における凸部４２ａ両側には、前方に向かって突出する円柱状の凸部６２が設けられており、縦可動レンズ４３前面の中心には、その前面から後面に向かって貫通する円柱状の貫通孔６３が設けられている。固定レンズ４２および縦可動レンズ４３は、凸部６２が貫通孔６３と嵌合することにより、回動可能な状態で連結される。貫通孔６３は縦可動レンズ４３の垂直方向の長さの中心に位置し、縦可動レンズ４３はこの貫通孔６３と嵌合する凸部６２を回動軸として回動する。
【００３９】
横可動レンズ４５は、本発明の横可動装飾体の一例であり、固定レンズ４２の凸部４２ａと垂直方向に並んで位置する。横可動レンズ４５は、半透明の乳白色の樹脂又はガラスなどで構成された水平方向に伸びる光透過性の棒状の装飾体であり、固定レンズ４２および縦可動レンズ４３前方に設けられている。横可動レンズ４５の前面には、前方に向かって突出した多角柱状の凸部４５ａが水平方向に伸びて形成されている。横可動レンズ４５の前面では、凸部４５ａ以外の部分がＬＥＤ４１ａからの光で発光しないように不透明色である黒などの塗装が施されている。ＬＥＤ基板４１では、凸部４５ａの後方に２つのＬＥＤ４１ａが水平方向に並んで位置するようにＬＥＤ４１ａが配置されている。
【００４０】
横可動レンズ４５の両端には、その前面から後面に向かって貫通する円柱状の貫通孔６０が設けられており、縦可動レンズ４３前面の両端には、前方に向かって突出する円柱状の凸部６１が設けられている。横可動レンズ４５および縦可動レンズ４３は、凸部６１が貫通孔６０と嵌合することにより、回動可能な状態で連結される。
【００４１】
なお、固定レンズ４２、縦可動レンズ４３、および横可動レンズ４５では、２色成形により凸部とそれ以外の部分との色を変えることでセグメントを構成する凸部のみが光るように固定レンズ４２、縦可動レンズ４３、および横可動レンズ４５を構成してもよい。この場合、例えば、凸部が半透明の乳白色の樹脂で構成され、凸部以外の部分が不透明色である黒など樹脂で構成される。
【００４２】
駆動装置４９は、ソレノイド５０およびリンク部材５３から構成され、縦可動レンズ４３および横可動レンズ４５を動かす。
【００４３】
ソレノイド５０は、ソレノイド５０に出没自在に配置されたプランジャ５１、およびプランジャ５１周囲に取り付けられた弾性体５２を有する。ソレノイド５０は、プランジャ５１を水平方向に進退させる。弾性体５２は、バネ等であり、その付勢力によりプランジャ５１に一方向（プランジャ５１を出す方向）への力を付与する。
【００４４】
リンク部材５３は、プランジャ５１の一端に連結されている。リンク部材５３には、その前面から後面に向かって貫通する円柱状の貫通孔６４が設けられており、縦可動レンズ４３の後面の一端には、後方に向かって突出する円柱状の凸部６５が設けられている。リンク部材５３および縦可動レンズ４３は、凸部６５が貫通孔６４と嵌合することにより連結される。従って、縦可動レンズ４３は、プランジャ５１の動作に応じて回動する。
【００４５】
図５（ａ）および図５（ｂ）は、セグメントのレイアウト変化を説明するための可変表示器３７の上面図である。なお、図５（ａ）および図５（ｂ）は、可変表示器３７を構成する２つの表示器のうちの１つについてのみ示している。
【００４６】
可変表示器３７では、ソレノイド５０のコイルに通電されないと、図５（ａ）に示すように、弾性体５２によりプランジャ５１が所定の位置まで押し出される。このとき、プランジャ５１が押し出された状態でセグメントが８の字状のレイアウトとなるよう、リンク部材５３およびプランジャ５１の水平方向の長さ、リンク部材５３における貫通孔６４の水平方向の位置、ソレノイド５０の水平方向の位置、ならびに弾性体５２の弾性力などが調節されている。従って、ソレノイド５０のコイルに通電されないと、セグメントの８の字状のレイアウトを維持するように、縦可動レンズ４３及び横可動レンズ４５の位置が固定される。
【００４７】
一方、ソレノイド５０のコイルに通電されると、図５（ｂ）に示すように、プランジャ５１が引き込まれるため、縦可動レンズ４３の一端が水平方向に引っ張られる。このプランジャ５１の引っ張りにより縦可動レンズ４３は回動し、この回動により横可動レンズ４５は水平方向に移動する。これにより、固定レンズ４２により構成されるセグメントを除く６つのセグメントのレイアウトが変形するため、セグメントの８の字状のレイアウトが変形する。その結果、視覚的に「０」〜「９」の数字などの図柄の形状が変化したものが現れる。
【００４８】
セグメントのレイアウトが変形するとき、縦可動レンズ４３は垂直方向の長さの中心に位置する凸部６２を回動軸として回動するため、この回動による２つの横可動レンズ４５の移動範囲は最小となる。従って、セグメントのレイアウトが変形したときでも、各ＬＥＤ４１ａは各セグメントを構成するレンズの凸部後方に位置するため、各セグメントに対してＬＥＤ４１ａからの光を確実に供給することができる。
【００４９】
以上のように、本実施の形態の遊技機１０によれば、複数の可動レンズが回動可能な状態で連結されるため、駆動装置４９により可動レンズが動かされるのに伴い、回動により複数の可動レンズの位置関係が変わる。従って、可動レンズにより構成されるセグメントのレイアウトが変形し、数字などの図柄の形状が変化するので、図柄について動的変化を大きくし、遊技者の遊技に対する興趣を十分に向上させることができる。
【００５０】
以上、本発明の遊技機用７セグメント表示装置について、実施の形態に基づいて説明したが、本発明は、この実施の形態に限定されるものではない。本発明の要旨を逸脱しない範囲内で当業者が思いつく各種変形を施したものも本発明の範囲内に含まれる。
【００５１】
例えば、上記実施の形態において、縦可動レンズ４３に貫通孔を設け、これと固定レンズ４２の凸部を嵌合させて横可動レンズ４５および縦可動レンズ４３を固定レンズ４２に対して固定するとした。しかし、縦可動レンズ４３ではなく横可動レンズ４５に貫通孔を設け、これと固定レンズ４２の凸部を嵌合させて横可動レンズ４５および縦可動レンズ４３を固定レンズ４２に対して固定してもよい。
【００５２】
また、上記実施の形態において、固定レンズ４２に中央のセグメントを構成する凸部が設けられるとした。しかし、固定レンズ４２には凸部が設けられなくてもよいし、又は中央のセグメント以外のセグメントを構成する凸部が設けられてもよい。具体的には、図６に示されるように、固定レンズ４２には凸部が設けられず、中央のセグメントを構成する横可動レンズ１００が新たに１つ追加されてもよい。また、図７に示されるように、固定レンズ４２には中央のセグメント以外のセグメントを構成する凸部２００が設けられ、中央のセグメントを構成する横可動レンズ１００が新たに１つ追加されてもよい。
【００５３】
さらに、上記実施の形態において、縦可動レンズ４３および横可動レンズ４５を動かすことができればこれに限られず、駆動装置４９は永久磁石などであってもよい。
【００５４】
さらにまた、上記実施の形態において、縦可動レンズ４３を動かすことができればこれに限られず、駆動装置４９は縦可動レンズ４３の例えば下端などの上端以外の部分と連結され、該他の部分を動かしてもよい。
【００５５】
また、上記実施の形態において、回動可能な状態で連結され、それぞれに１つの凸部が形成された垂直方向に並ぶ２つの縦可動レンズが設けられてもよい。
【図面の簡単な説明】
【００５６】
【図１】本発明の実施の形態における遊技機の斜視図。
【図２】同上の遊技盤の正面図。
【図３】同上の可変表示器の分解斜視図。
【図４】同上の可変表示器の斜視図。
【図５】同上の可変表示器の上面図。
【図６】同上の可変表示器の変形例の分解斜視図。
【図７】同上の可変表示器の変形例の分解斜視図。
【符号の説明】
【００５７】
１０…遊技機、３７…可変表示器、４１…ＬＥＤ基板、４１ａ…ＬＥＤ、４２…固定レンズ、４３…縦可動レンズ、４５…横可動レンズ、４９…駆動装置
【図１】
0005050916.tif 000002
【図２】
0005050916.tif 000003
【図３】
0005050916.tif 000004
【図４】
0005050916.tif 000005
【図５】
0005050916.tif 000006
【図６】
0005050916.tif 000007
【図７】
0005050916.tif 000008